(57)【要約】【課題】被塗布部に化粧料を塗布する際に、複数本の棒状化粧料により効率的に化粧料を塗布する一方で、１本の棒状化粧料により細やかな化粧を可能とする。また、目詰まりのない塗布を可能とする。また、複数本の棒状化粧料により櫛の役目を果たし被塗布部を梳きながらの塗布を可能とする。また、複数本の棒状化粧料を有しているにも拘わらず、持ち運びが便利であり、複数本の棒状化粧料の繰り出し／繰り戻しができ使い勝手を良くする。また、支持部の構成を簡易とし低コスト化を図る。【解決手段】容器内に、支持部４ａに設けられた複数の支持片４ｃ，１４ｃにより複数本の棒状化粧料Ｍを並設支持すると共に、複数本の棒状化粧料Ｍを支持部４ａと共に軸線方向に同時に進退可能とし、先筒から複数本の棒状化粧料Ｍを出没可能とする。また、複数本の棒状化粧料Ｍを１個の共通の支持片１４ｃにより個別に支持し、支持部４ａの構成を簡易とする。【選択図】図６
2019048049.tif 000002
【特許請求の範囲】
【請求項１】
容器前部及び容器後部を備えた筒状の容器と、前記容器前部に対し軸線周りに回転不能且つ軸線方向に移動可能とされ、先端に棒状化粧料を支持可能な支持部を有すると共に外周部に雄螺子を備えた移動体と、前記容器前部に対し軸線周りに回転可能とされ、内周部に前記雄螺子に螺合する雌螺子を備えた雌螺子部材と、を具備し、前記容器前部と前記容器後部の相対回転によって、前記雄螺子及び前記雌螺子による螺合作用が働いて前記移動体が進退し前記棒状化粧料が容器先端の開口から出没する棒状化粧料繰出容器であって、
前記支持部は、複数の前記棒状化粧料の後部を周囲から支持する複数の支持片を備えると共に、複数の前記棒状化粧料を互いに離間した状態で互いの軸心が平行を成すように並設し、
前記容器前部は、複数の前記棒状化粧料の進退を可能とする棒状化粧料孔、及び、前記支持片を含む前記支持部が進退するための支持部孔を備え、
前記開口は、複数の前記棒状化粧料孔に対応して設けられ、
前記支持片は、複数の棒状化粧料を個別に支持することを特徴とする棒状化粧料繰出容器。
【請求項２】
前記支持片の内面は前記棒状化粧料の外面の一部を支持する支持片面であり、
一の支持片は、一の棒状化粧料の外面の一部を支持する一の支持片面と、
前記一の棒状化粧料に隣接する他の棒状化粧料の外面の一部を支持する他の支持片面と、を備えることを特徴とする請求項１記載の棒状化粧料繰出容器。
【請求項３】
前記支持部は、前記棒状化粧料のそれぞれが付き当てられる基部と、
隣接する基部同士を連結する連結部と、
前記基部及び前記連結部の外面から前方へ延出する複数の前記支持片と、を備え、
前記基部は、前記棒状化粧料孔を進退し、
前記支持片及び前記連結部は、前記支持部孔を進退することを特徴とする請求項１又は２記載の棒状化粧料繰出容器。
【請求項４】
前記容器前部の前記開口の形状は、前記棒状化粧料の外形形状と略相似形状の前記棒状化粧料孔を、前記支持片が支持している前記棒状化粧料と同数並べた形状に対応していることを特徴とする請求項１〜３の何れか一項に記載の棒状化粧料繰出容器。
【請求項５】
前記開口は、複数の前記棒状化粧料孔同士間に隙間を持って繋がっていることを特徴とする請求項４記載の棒状化粧料繰出容器。
【請求項６】
複数の前記棒状化粧料は、別個違う色であることを特徴とする請求項１〜５の何れか一項に記載の棒状化粧料繰出容器。
【請求項７】
前記棒状化粧料は、アイブロウであることを特徴とする請求項１〜６の何れか一項に記載の棒状化粧料繰出容器。
【発明の詳細な説明】
【技術分野】
【０００１】
本発明は、棒状化粧料を出没可能とする棒状化粧料繰出容器に関する。
【背景技術】
【０００２】
従来、棒状化粧料繰出容器として、以下の特許文献１に記載のものが広く知られている。この特許文献１に記載の棒状化粧料繰出容器は、所謂化粧料ペンシルであり、容器内に棒状化粧料を収容し、必要に応じて、使用者が棒状化粧料を容器先端の開口から出没可能とし使用に供し得るものである。このような棒状化粧料繰出容器では、例えば眉毛のような被塗布部に化粧料を塗布する際に、棒状化粧料が細いと何回も塗布する必要があり時間かかり非効率であるという問題がある。一方、太い棒状化粧料であると、広い範囲にべったりと化粧料が付着しまい、細かく繊細な化粧を施せないという問題がある。
【０００３】
上記のような化粧に対応する化粧料塗布具として、以下の特許文献２に記載のように、容器内の液状化粧料を繊維質の芯材を通して先端に送り出し、芯材先端で眉毛に塗布するものが知られている。この引用文献２にあっては、芯材の先端に切り込みが入っていて当該先端が例えば鋸歯状を呈している。この引用文献２にあっては、芯材の先端が歯状を成すように分かれているため、細やかで繊細な化粧が可能であると共に、複数歯を用いることにより効率的に塗布ができ、加えて、歯状のため、眉毛を梳きながら化粧もできるとされている。
【先行技術文献】
【特許文献】
【０００４】
【特許文献１】実開昭６４−８３１７
【特許文献２】実用新案登録第３１９６６２１号
【発明の概要】
【発明が解決しようとする課題】
【０００５】
しかしながら、特許文献２に記載の液状化粧料を用いた化粧料塗布具にあっては、上記のように優れた点を有する反面、下地用のファンデーション等の後に、液状化粧料を芯材先端により塗ることになるため、ファンデーション等の化粧料が繊維質の間に入り、使用しているうちに芯材が目詰まりを起こし、液状化粧料を塗布する際にかすれて被塗布部にうまく塗布できないという問題が生じていた。すなわち、引用文献２の化粧料塗布具では、液状化粧品を眉毛にうまく塗布できないという問題があった。
【０００６】
そこで、本発明は、眉毛を始めとした被塗布部に化粧料を塗布する際に、効率的に化粧料を塗布できると共に、選択的に細やかな化粧を施すことも可能であり、しかも、化粧料の目詰まり等がなく化粧料がかすれずに常時良好に塗布できる棒状化粧料繰出容器を提供することを目的とする。
【課題を解決するための手段】
【０００７】
本発明による棒状化粧料繰出容器は、容器前部及び容器後部を備えた筒状の容器と、容器前部に対し軸線周りに回転不能且つ軸線方向に移動可能とされ、先端に棒状化粧料を支持可能な支持部を有すると共に外周部に雄螺子を備えた移動体と、容器前部に対し軸線周りに回転可能とされ、内周部に雄螺子に螺合する雌螺子を備えた雌螺子部材と、を具備し、容器前部と容器後部の相対回転によって、雄螺子及び雌螺子による螺合作用が働いて移動体が進退し棒状化粧料が容器先端の開口から出没する棒状化粧料繰出容器であって、支持部は、複数の棒状化粧料の後部を周囲から支持する複数の支持片を備えると共に、複数の棒状化粧料を互いに離間した状態で互いの軸心が平行を成すように並設し、容器前部は、複数の棒状化粧料の進退を可能とする棒状化粧料孔、及び、支持片を含む支持部が進退するための支持部孔を備え、開口は、複数の棒状化粧料孔に対応して設けられ、支持片は、複数の棒状化粧料を個別に支持することを特徴としている。
【０００８】
このような棒状化粧料繰出容器によれば、容器内に、支持部に設けられた複数の支持片により複数本の棒状化粧料が並設支持されると共に、当該複数本の棒状化粧料は支持部と共に軸線方向に同時に進退し、先筒先端の開口から複数本の棒状化粧料が出没可能とされ、塗布に供される。従って、眉毛を始めとした被塗布部に化粧料を塗布する際に、複数本の棒状化粧料により効率的に化粧料を塗布できると共に、例えば１本の棒状化粧料により選択的に細やかな化粧を施すこともでき、しかも、液状化粧料のような化粧料の目詰まり等がなく化粧料がかすれずに常時良好に塗布でき、加えて、複数本の棒状化粧料により櫛の役目を果たし被塗布部を梳きながら化粧をでき、さらには、複数本の棒状化粧料を有しているにもかかわらず、持ち運びが便利であり、且つ、複数本の棒状化粧料の繰り出し／繰り戻しができ使い勝手が良い棒状化粧料繰出容器を提供できる。また、複数本の棒状化粧料は、１個の共通の支持片により個別に支持されるため、支持部の構成を簡易にできる。
【０００９】
ここで、上記作用を好適に奏する構成としては、具体的には、支持片の内面は棒状化粧料の外面の一部を支持する支持片面であり、一の支持片は、一の棒状化粧料の外面の一部を支持する一の支持片面と、一の棒状化粧料に隣接する他の棒状化粧料の外面の一部を支持する他の支持片面と、を備える構成が挙げられる。これによれば、一の支持片は、隣接する複数の棒状化粧料を個別に支持することができる。
【００１０】
また、支持部は、棒状化粧料のそれぞれが付き当てられる基部と、隣接する基部同士を連結する連結部と、基部及び連結部の外面から前方へ延出する複数の支持片と、を備え、基部は、棒状化粧料孔を進退し、支持片及び連結部は、支持部孔を進退する構成であると、基部同士が連結部により互いに連結されているため、支持部の強度を上げることができる。
【００１１】
また、容器前部の開口の形状は、棒状化粧料の外形形状と略相似形状の棒状化粧料孔を、支持片が支持している棒状化粧料と同数並べた形状に対応しているのが好ましい。このような構成を採用した場合、棒状化粧料は、円柱形状に限定されず、例えば、四角柱形状、三角柱形状、楕円断面等の非円形断面形状の棒状化粧料に対しても適用できる。
【００１２】
また、開口は、複数の棒状化粧料孔同士間に隙間を持って繋がっているのが好ましい。このような構成を採用した場合、棒状化粧料同士を限りなく近接（棒状化粧料同士が接触しない程度に隙間が空いている状態に）できることになり、例えば眉毛等に化粧料を塗布する際に、毛に密に化粧料を描くことができる。なお、棒状化粧料同士が接触し１つの棒状化粧料としての塗布となると、ベタ塗りのような仕上がりとなってしまうことがあるが、上述のように棒状化粧料同士の間に隙間が介在しているため、ベタ塗り感が生じることを防止できる。
【００１３】
また、複数の棒状化粧料は、別個違う色であると、均一な色をしていない色むらを被塗布部に容易に形成できる。
【００１４】
ここで、１本の細いアイブロウで眉毛に化粧を施す場合には、眉毛全体に化粧を施すのに時間を要し、１本の太いアイブロウで眉毛に化粧を施す場合には、塗り潰したような感じになってしまい、細かい繊細な化粧を施すのに技術及び時間を要する。しかしながら、本発明によれば、複数本のアイブロウを同時に使用できるため、眉毛に自然に抜けている感じの塗布隙間を容易に生じせしめることができ、眉毛に自然感を出しつつ繊細且つ綺麗な塗布を短時間で行うことができる。
【発明の効果】
【００１５】
このように本発明によれば、眉毛を始めとした被塗布部に化粧料を塗布する際に、複数本の棒状化粧料により効率的に化粧料を塗布できると共に、例えば１本の棒状化粧料により選択的に細やかな化粧を施すこともでき、しかも、液状化粧料のような化粧料の目詰まり等がなく化粧料がかすれずに常時良好に塗布でき、加えて、複数本の棒状化粧料により櫛の役目を果たし被塗布部を梳きながら化粧をでき、さらには、複数本の棒状化粧料を有しているにもかかわらず、持ち運びが便利であり、且つ、複数の棒状化粧料の繰り出し／繰り戻しができ使い勝手が良い棒状化粧料繰出容器を提供できる。また、支持部の構成を簡易とし、低コスト化が図れる棒状化粧料繰出容器を提供できる。
【図面の簡単な説明】
【００１６】
【図１】本発明の第１実施形態に係る棒状化粧料繰出容器の縦断面図であり、移動体が後退限に位置した状態を示す図である。
【図２】図１に直交する方向の棒状化粧料繰出容器の縦断面図であり、移動体が前進限に位置した状態を示す図である。
【図３】棒状化粧料繰出容器の先端側を破断して示す斜視図である。
【図４】先筒及び移動体の要部を示す分解斜視図である。
【図５】移動体の要部を示す斜視図である。
【図６】支持部の正面図である。
【図７】図２のVII-VII線に沿う横断面図であり、先筒内の進退孔を示す図である。
【図８】先筒の正面図である。
【図９】本発明の第２実施形態に係る棒状化粧料繰出容器の支持部の斜視図である。
【図１０】図９に示す支持部の正面図である。
【図１１】図９及び図１０に示す支持部が配される先筒内の進退孔を示す横断面図であり、図２のVII-VII線に沿った位置の図７に対応する横断面図である。
【図１２】本発明の第３実施形態に係る棒状化粧料繰出容器の支持部の斜視図である。
【図１３】図１２に示す支持部の正面図である。
【図１４】図１２及び図１３に示す支持部が配される先筒内の進退孔を示す横断面図であり、図２のVII-VII線に沿った位置の図７に対応する横断面図である。
【発明を実施するための形態】
【００１７】
以下、本発明による棒状化粧料繰出容器の好適な実施形態について図１〜図１４を参照しながら説明する。図１〜図８は、本発明の第１実施形態を、図９〜図１１は、本発明の第２実施形態を、図１２〜図１４は、本発明の第３実施形態を各々示すものであり、各図において、同一の要素には同一の符号を付し、重複する説明は省略する。
【００１８】
先ず、図１〜図８に示す第１実施形態を説明する。図１は、本発明の第１実施形態に係る棒状化粧料繰出容器の縦断面図であり、移動体が後退限に位置した状態を示す図、図２は、図１に直交する方向の棒状化粧料繰出容器の縦断面図であり、移動体が前進限に位置した状態を示す図、図３は、棒状化粧料繰出容器の先端側を破断して示す斜視図、図４は、先筒及び移動体の要部を示す分解斜視図、図５は、移動体の要部を示す斜視図、図６は、支持部の正面図、図７は、図２のVII-VII線に沿う横断面図であり、先筒内の進退孔を示す図、図８は、先筒の正面図である。本実施形態の棒状化粧料繰出容器は、内部に収容した複数本の棒状化粧料を使用者により適宜被塗布部に塗布することができるものである。棒状化粧料Ｍは、ここでは、特に好適であるとして、眉毛を描くための円柱状のアイブロウとされている。
【００１９】
図１及び図２に示すように、棒状化粧料繰出容器１００は、全体形状が筆記具の如き細長い丸棒状を呈するものであり、容器前部を構成する先筒１と、容器後部を構成するホルダ筒２と、により外観が構成された筒状容器であり、これらの先筒１及びホルダ筒２内に、容器前部を構成する継ぎ具３と、棒状化粧料Ｍと、棒状化粧料Ｍを支持すると共に雄螺子４ｉを含む移動体である長尺な棒状化粧料支持体４と、雌螺子５ｉを含む雌螺子部材５と、を収容する。そして、棒状化粧料繰出容器１００は、内部において、先筒１の後半部とホルダ筒２の前半部との間に、前から後へ向かって、継ぎ具３、雌螺子部材５を挟むように構成されている。
【００２０】
特に、本実施形態では、棒状化粧料Ｍは複数本（ここでは３本）が先筒１内に収容されており、棒状化粧料支持体４の先端側に３本の棒状化粧料Ｍが取り付け支持され、先筒１から出没可能とされている。
【００２１】
以下、棒状化粧料繰出容器１００の特徴を詳説する。
【００２２】
ホルダ筒２は、例えばＡＢＳ等から形成され、使用者は指で持って塗布に供すべく長尺な有底円筒状を呈する。継ぎ具３は、例えばＡＢＳ等から形成されて略円筒状を呈し、先筒１とホルダ筒２とに亘って収容される。雌螺子部材５は、例えばＰＥ等から形成されて略円筒状を呈し、軸線方向中程の内周部には、雌螺子としての螺合突起５ｉ，５ｉが対向して設けられる。
【００２３】
そして、ホルダ筒２内に、雌螺子部材５、継ぎ具３が内挿され、ホルダ筒２の先端側の内周面に設けられた係合部２ａが、継ぎ具３の軸線方向中程の外周面に設けられた係合部３ａに軸線方向に係合することにより、継ぎ具３は、ホルダ筒２に軸線周りに回転可能且つ軸線方向に移動不能に装着される。雌螺子部材５は、ホルダ筒２の内周面に設けられた段差面２ｂと継ぎ具３の後端面との間に挟まれるようにして、雌螺子部材５の外周面に設けられた係合部５ａが、ホルダ筒２の軸線方向中程の外周面に設けられた係合部２ｃに回転方向に係合することにより、ホルダ筒２に軸線周りに回転不能（同期回転可能）に装着される。
【００２４】
先筒１は、例えばＡＢＳ等から形成され、先細りの円筒状を呈する。先筒１の後部筒内に、継ぎ具３のホルダ筒２から前方へ突出する先端部が進入し、先筒１の後部側の内周面に設けられた係合部１ａが、継ぎ具３の先端部の外周面に設けられた係合部３ｂに嵌合することにより、継ぎ具３は、先筒１に軸線周りに回転不能且つ軸線方向に移動不能に装着され一体化されている。
【００２５】
容器内を進退する棒状化粧料支持体４は、複数本の棒状化粧料Ｍの後端部を支持するための支持部４ａ（図４及び図５も参照）と、支持部４ａより後側の軸体部４ｂと、を備える。軸体部４ｂは、軸線方向に延在する軸体であり、支持部４ａに連結された連結軸部４ｆと、連結軸部４ｆの後部に連設された回り止め部４ｇと、回り止め部４ｇから後方へ延在し外周部に設けられた雄螺子４ｉと、を有する。雄螺子４ｉは、例えばＰＯＭ等から形成され、当該雄螺子４ｉより前側の回り止め部４ｇに圧入固定される。また、棒状化粧料支持体４の雄螺子４ｉより前側の部分は、例えばＰＢＴ等から形成される。
【００２６】
支持部４ａは、図１、図２及び図６に示すように、その外形が棒状化粧料Ｍの外形に略一致する円形断面を成して軸線方向に短尺に延び、棒状化粧料Ｍの後端面を突き当てるための円柱状の基部４ｄを備える。
【００２７】
基部４ｄは、ここでは３個が離間して一列に並設され、互いの基部４ｄ同士は、基部４ｄと軸線方向長が同じで基部４ｄより多少幅狭（図６の上下方向幅が幅狭）の略直方体形状の連結部４ｅにより互いに連結されている。
【００２８】
これらの基部４ｄの外周面であって、基部４ｄの周方向に離間する略４等配の位置には、棒状化粧料Ｍを支持するためのブロック状の支持片４ｃ，１４ｃ（支持片４ｃ，１４ｃの区分けは後述）が基部４ｄの外周面から軸線方向前方へ延びるように設けられている（図５も参照）。支持片４ｃ，１４ｃは、基部４ｄから前方に突出するように延びている。支持片４ｃ，１４ｃの内周面は、棒状化粧料Ｍの外周面の一部に合致する円弧状を呈し、棒状化粧料Ｍを支持する支持片面４ｊ（図６参照）として機能する。
【００２９】
ここで、３個の基部４ｄを横方向に並設した図６に示す状態を基準として説明すると、左右両側の基部４ｄにあっては、それぞれ外側位置で、４５°上方へ向かう位置と４５°下方へ向かう位置に、略直方体形状を成しその基部側が基部４ｄの外面に連結されて前方へ延びる支持片４ｃがそれぞれ設けられている。この支持片４ｃの内側の円弧状の支持片面４ｊが棒状化粧料Ｍの外周面を支持する。
【００３０】
一方の片側（例えば左側）の基部４ｄと中央の基部４ｄ同士の間の上部にあっては、略正五角形状を成しその基部側が、隣接する基部４ｄ，４ｄの上部の外面、及び、連結部４ｅの上面に連結されて前方へ延びる支持片１４ｃが設けられる。同様に、他方の片側（例えば右側）の基部４ｄと中央の基部４ｄ同士の間の上部にも支持片１４ｃが設けられる。この１個の支持片１４ｃの内側の一方の円弧状の支持片面４ｊが一の棒状化粧料Ｍの外周面を支持し、支持片１４ｃの内側の他方の円弧状の支持片面４ｊが他の棒状化粧料Ｍの外周面を支持する。
【００３１】
また、一方の片側の基部４ｄと中央の基部４ｄ同士の間の下部にあっては、略正五角形状を逆さにした形状を成しその基部側が、隣接する基部４ｄ，４ｄの下部の外面、及び、連結部４ｅの下面に連結されて前方へ延びる支持片１４ｃが設けられる。同様に、他方の片側の基部４ｄと中央の基部４ｄ同士の間の下部にも支持片１４ｃが設けられる。この１個の支持片１４ｃの内側の一方の円弧状の支持片面４ｊが一の棒状化粧料Ｍの外周面を支持し、支持片１４ｃの内側の他方の円弧状の支持片面４ｊが他の棒状化粧料Ｍの外周面を支持する。
【００３２】
そして、これらの周方向に並設された支持片４ｃ，１４ｃにより、基部４ｄに突き当てられた棒状化粧料Ｍの後端部の外周面を、相互間に挟んで支持する。
【００３３】
なお、支持片４ｃ，１４ｃの先端の円弧状の内周面側には、棒状化粧料Ｍを押し込む際の案内面として機能する面取りＣ（図５及び図６参照）が施されている、また、図６に示す支持片面４ｊの内周面に、軸線方向に延びるリブ（爪）を立設し当該リブに棒状化粧料Ｍをめり込ませ密着力を高めるようにしても良い。
【００３４】
図１、図２、図４及び図５に示すように、支持部４ａに続く連結軸部４ｆは長尺に構成され、これに続く回り止め部４ｇの後端部には、凸状の回転係合部４ｈ，４ｈが対向して突設される。回転係合部４ｈは、図２に示すように、継ぎ具３の内周面に軸線方向に延びるように設けられた長溝３ｃ内に進入し、軸線方向に移動可能且つ軸線周りに回転不能に連結され、螺合作用時の回り止めとして機能する。また、長溝３ｃの先端面に回転係合部４ｈが突き当たった図２に示す位置が、棒状化粧料支持体４の前進限とされる。
【００３５】
図１〜図４及び図８に示すように、先筒１には、先端の開口１ｂから後方へ向かって延びて先筒１を貫通し棒状化粧料Ｍが摺動する棒状化粧料孔１ｃが３個並設されている。開口１ｂは、ここでは、３個に分割されず、棒状化粧料孔１ｃ同士間に隙間を持って繋がっているが、開口１ｂを構成する棒状化粧料孔１ｃは、各々が繋がっておらず分けられていても良い。この棒状化粧料孔１ｃには、支持部４ａの基部４ｄも進退する。
【００３６】
先筒１には、図１、図３及び図７に示すように、棒状化粧料孔１ｃの先端近傍から連設され、複数の支持片４ｃが進退する支持片溝１ｄ及び複数の支持片１４ｃが進退する支持片溝１１ｄ、図６に示す連結部４ｅが進退する連結部孔１ｍが形成され、ここでは、支持片溝１ｄ，１１ｄ及び連結部孔１ｍより、支持部４ａが進退するための支持部孔１ｎが形成され、支持部孔１ｎ及び棒状化粧料孔１ｃにより、棒状化粧料Ｍ及び支持部４ａが進退する図７に示す進退孔１ｒの形状が形成されている。棒状化粧料孔１ｃは、先筒１の先端から形成されているが、支持部孔１ｎは、先筒１の先端近傍から、支持部４ａが軸線方向に進退する進退範囲内である継ぎ具３の先端部内まで形成されている（図１参照）。
【００３７】
そして、容器組立後に、複数本の棒状化粧料Ｍを先筒１の先端側から差し込み、図１に示す棒状化粧料繰出容器１００を得る。なお、先筒１と継ぎ具３は、ここでは、肉ひけを抑止すべく、分割製造され連結されて一体化されているが、先筒１及び継ぎ具３は、一体成形品であっても良い。
【００３８】
このような棒状化粧料繰出容器１００を用い、先筒１とホルダ筒２とが一方向である繰り出し方向に相対回転（回転操作）されると、棒状化粧料支持体４の雄螺子４ｉ及び雌螺子部材５の螺合突起５ｉ，５ｉによる螺合作用が働き、棒状化粧料支持体４が前進し、複数本の棒状化粧料Ｍが先筒１の先端の開口１ｂから出現して塗布に供することができ（図２参照）、塗布が終了し、使用者により、先筒１とホルダ筒２とが一方向の反対方向である繰り戻し方向に相対回転（回転操作）されると、棒状化粧料支持体４が後退し、複数本の棒状化粧料Ｍが先筒１の先端の開口１ｂから没入する。
【００３９】
このような棒状化粧料繰出容器１００によれば、容器内に、支持部４ａに設けられた複数の支持片４ｃ，１４ｃにより複数本の棒状化粧料Ｍが並設（平行に）支持されると共に、当該複数本の棒状化粧料Ｍは支持部４ａと共に軸線方向に同時に進退し、先筒１の先端の開口１ｂから複数本の棒状化粧料Ｍが出没可能とされ、塗布に供されるようになっている。従って、眉毛を始めとした被塗布部に化粧料を塗布する際に、複数本の棒状化粧料Ｍにより効率的に化粧料を塗布できると共に、例えば１本の棒状化粧料Ｍにより選択的に細やかな化粧を施すこともでき、しかも、液状化粧料のような化粧料の目詰まり等がなく化粧料がかすれずに常時良好に塗布でき、加えて、複数本の棒状化粧料Ｍにより櫛の役目を果たし被塗布部を梳きながら化粧をでき、さらには、複数本の棒状化粧料Ｍを有しているにもかかわらず、持ち運びが便利であり、且つ、複数本の棒状化粧料Ｍの繰り出し／繰り戻しができ使い勝手が良い棒状化粧料繰出容器１００を提供できる。また、複数本の棒状化粧料Ｍは、１個の共通の支持片１４ｃにより個別に支持されるため、支持部４ａの構成を簡易にできる。
【００４０】
具体的には、一の支持片１４ｃは、一の棒状化粧料Ｍの外面の一部を支持する一の支持片面４ｊと、一の棒状化粧料Ｍに隣接する他の棒状化粧料Ｍの外面の一部を支持する他の支持片面４ｊと、を備えているため、一の支持片１４ｃは、隣接する複数の棒状化粧料Ｍを個別に支持でき、支持部４ａの構成を簡易にできる。
【００４１】
また、本実施形態によれば、支持部４ａは、棒状化粧料Ｍのそれぞれが付き当てられる基部４ｄと、隣接する基部４ｄ，４ｄ同士を連結する連結部４ｅと、基部４ｄ及び連結部４ｅの外面から前方へ延出する複数の支持片４ｃ，１４ｃと、を備え、基部４ｄは、棒状化粧料孔１ｃを進退し、支持片４ｃ，１４ｃ及び連結部４ｅは、支持部孔１ｎを進退する構成で、基部４ｄ，４ｄ同士が連結部４ｅにより互いに連結されているため、支持部４ａの強度を上げることが可能となっている。
【００４２】
また、本実施形態によれば、先筒１の開口１ｂの形状は、棒状化粧料Ｍの外形形状と略相似形状の棒状化粧料孔１ｃを、支持片４ｃ，１４ｃが支持している棒状化粧料Ｍと同数並べた形状に対応しているため、棒状化粧料Ｍを、円柱形状に限定することなく、例えば、後述の四角柱形状、三角柱形状等に対しても適用できる。
【００４３】
また、本実施形態によれば、開口１ｂを、複数の棒状化粧料孔１ｃ同士間に隙間を持って繋がる構成としているため、棒状化粧料Ｍ同士を限りなく近接（棒状化粧料Ｍ同士が接触しない程度に隙間が空いている状態に）できることになり、例えば眉毛等に化粧料を塗布する際に、毛に密に化粧料を描くことができる。なお、棒状化粧料Ｍ同士が接触し１つの棒状化粧料としての塗布となると、ベタ塗りのような仕上がりとなってしまうことがあるが、上述のように棒状化粧料Ｍ同士の間に隙間が介在しているため、ベタ塗り感が生じることを防止できる。なお、棒状化粧料孔１ｃ同士が繋がっておらず各々が分けられている場合には、連結部４ｅに仕切り板等が必要となる。因みに、先筒１を金型成形する際は、開口１ｂの部分を成形するのにコアピンを使用するが、複数の棒状化粧料孔１ｃ同士間に隙間を持って繋がっている開口１ｂを成形する際には一本の太いコアピンを使用することができ、コアピンの強度を強くすることができるのでより好適である。
【００４４】
また、本実施形態によれば、複数の棒状化粧料Ｍを、別個違う色とすると、均一な色をしていない色むらを被塗布部に容易に形成できる。
【００４５】
なお、被塗布部を眉毛とした場合、１本の細い棒状化粧料（アイブロウ）で眉毛に化粧を施す場合には、眉毛全体に化粧を施すのに時間を要し、１本の太い棒状化粧料で眉毛に化粧を施す場合には、塗り潰したような感じになってしまい、細かい繊細な化粧を施すのに技術及び時間を要する。しかしながら、本実施形態によれば、複数本の棒状化粧料を同時に使用できるため、眉毛に自然に抜けている感じの塗布隙間を容易に生じせしめることができ、眉毛に自然感を出しつつ繊細且つ綺麗な塗布を短時間で行うことができる。因みに、例えば眉尻のように細いところを描く場合には、複数本のうち１本の棒状化粧料を使用すれば良い。
【００４６】
また、本実施形態によれば、棒状化粧料Ｍを容器内に没入できるため、液状化粧料押出容器のような揮発防止用のキャップが必要なく、液状化粧料押出容器に比して容器のコンパクト化を図ることができる。
【００４７】
なお、上記実施形態において、支持部４ａの連結部４ｅをなくし、中央の支持片１４ｃにおいて基部側の内周面を、基部４ｄの外周面にそれぞれ連結すると共に、支持片１４ｃを基部４ｄから前方へ延出させ、当該延出部分で棒状化粧料Ｍの後部を周囲から支持するようにしても良い。この場合には、先筒１において連結部孔はなくても良い。また、連結部４ｅをなくし、中央の上下のそれぞれの支持片１４ｃの基部側を、それぞれ上下の相手側の支持片１４ｃへ延ばし互いに連結して略半円状の内周面を背中合わせに有する支持片に変更し、当該支持片の略半円状の内周面を、基部４ｄの外周面にそれぞれ連結し、基部４ｄで上下に一体化した略半円状の内周面を有する支持片を前方へ延出させ、当該延出部分のそれぞれで、隣接する棒状化粧料の後部を周囲からそれぞれ支持するようにしても良い。
【００４８】
次に、前述した円柱形状の棒状化粧料Ｍを他の形状の棒状化粧料とした実施形態を具体的に説明する。図９は、本発明の第２実施形態に係る棒状化粧料繰出容器の支持部の斜視図、図１０は、支持部の正面図、図１１は、支持部が配される先筒内の進退孔を示す横断面図であり、図２のVII-VII線に沿った位置の図７に対応する横断面図である。
【００４９】
この第２実施形態では、円柱形状の棒状化粧料Ｍに代えて四角柱形状の棒状化粧料Ｍ１（図１０参照）が用いられている。この四角柱形状の棒状化粧料Ｍ１は軸線方向に沿って長尺を成し、ここでは、正方形断面形状の四角柱が用いられている。なお、長方形断面形状の四角柱を用いることも勿論できる。
【００５０】
図９及び図１０に示すように、支持部２４ａは、その外形が棒状化粧料Ｍ１の外形に略一致する正方形断面を成して軸線方向に短尺に延び、棒状化粧料Ｍ１の後端面を突き当てるための四角柱形状の基部２４ｄを備える。基部２４ｄは、ここでは３個が離間して一列に並設される。
【００５１】
これらの基部２４ｄの外周面であって、四角柱形状の外周面の四面の各々には、棒状化粧料Ｍ１を支持するためのブロック状の支持片２４ｃ，３４ｃ（支持片２４ｃ，３４ｃの区分けは後述）が、軸線方向前方へ延びるように長尺に設けられている。これらの支持片２４ｃ，３４ｃの内方を向く面（対向する面同士）は、四角柱形状の棒状化粧料Ｍ１の平坦な外周面の各面を支持する支持片面２４ｊとして機能する。
【００５２】
ここで、３個の基部２４ｄを横方向に並設した図１０に示す状態を基準として説明すると、左右両側の基部２４ｄにあっては、左右外側の面に、四角柱形状を成しその基部側が基部２４ｄの外面に連結されて前方へ延びる支持片２４ｃがそれぞれ設けられている。また、左右両側の基部２４ｄ及び中央の基部２４ｄにあっては、上下面に、四角柱形状を成しその基部側が基部２４ｄの外面に連結されて前方へ延びる支持片２４ｃがそれぞれ設けられている。なお、支持片２４ｃの形状は、長方形断面形状に限定されるものではなく、例えば、正方形断面形状や、円弧面が外側に位置する半円断面形状等であっても良い。
【００５３】
一方の片側（例えば左側）の基部２４ｄと中央の基部２４ｄ同士の間にあっては、四角柱形状を成しその基部側の左右の外面が、隣接する基部２４ｄ，２４ｄの対向面に連結されて前方へ延びる支持片３４ｃが設けられる。この１個の支持片３４ｃの一方（例えば左側）の支持片面２４ｊが一の（左側の）棒状化粧料Ｍ１の外周面の一部（右側面）を支持し、支持片３４ｃの他方（右側）の支持片面２４ｊが他の（中央の）棒状化粧料Ｍ１の外周面の一部（左側面）を支持する。
【００５４】
同様に、他方の片側（例えば右側）の基部２４ｄと中央の基部２４ｄ同士の間にあっても、支持片３４ｃが上記と同様にして設けられる。１個の支持片３４ｃの一方（例えば左側）の支持片面２４ｊが一の（中央の）棒状化粧料Ｍ１の外周面の１部（右側面）を支持し、支持片３４ｃの他方（右側）の支持片面２４ｊが他の（右側の）棒状化粧料Ｍ１の外周面の一部（左側面）を支持する。このように、第２実施形態では、中央側の支持片３４ｃ，３４ｃが、第１実施形態の基部４ｄ，４ｄ同士を連結する連結部４ｅ，４ｅを兼用している。なお、支持片３４ｃの形状は、正方形形断面形状に限定されるものではなく、例えば、長方形断面形状等であっても良い。
【００５５】
そして、四角柱形状の棒状化粧料Ｍ１の外周面の各面に対応して設けられた支持片２４ｃ，３４ｃにより、四角柱形状の棒状化粧料Ｍ１の後端部の外周面を、相互間に挟んで支持する。なお、支持片２４ｃ，３４ｃの先端で棒状化粧料Ｍ１側には、第１実施形態と同様な面取りＣが施されている。
【００５６】
因みに、第１実施形態と同様に、先筒１の開口１ｂの棒状化粧料孔１ｃの形状は、四角柱形状の棒状化粧料Ｍ１が進退すべくその外形形状と略相似形状となっている。また、複数の棒状化粧料孔１ｃ同士は、第１実施形態と同様に、隙間を持って繋がる構成となっている（図８参照）。
【００５７】
そして、上記四角柱形状の棒状化粧料Ｍ１及び支持部２４ａの変更に伴い、先筒１には、棒状化粧料孔１ｃの先端近傍から連設され、図１１に示すように、複数の支持片２４ｃが進退する支持片溝２１ｄ及び複数の支持片３４ｃが進退する支持片溝３１ｄが形成され、支持片溝２１ｄ，３１ｄにより、支持部２４ａが進退するための支持部孔２１ｎが形成され、支持部孔２１ｎ及び棒状化粧料孔１ｃにより、棒状化粧料Ｍ１及び支持部２４ａが進退する進退孔２１ｒの形状が形成されている。
【００５８】
このような構成を有する第２実施形態においても、先の第１実施形態と同様な作用・効果を奏するというのはいうまでもなく、特に、四角柱形状の棒状化粧料Ｍ１を用いた場合であっても、第１実施形態と同様に、一の支持片３４ｃは、一の棒状化粧料Ｍ１の外面の一部を支持する一の支持片面２４ｊと、一の棒状化粧料Ｍ１に隣接する他の棒状化粧料Ｍ１の外面の一部を支持する他の支持片面２４ｊと、を備えているため、一の支持片３４ｃは、隣接する複数の棒状化粧料Ｍ１を個別に支持でき、支持部２４ａの構成を簡易にできる。
【００５９】
また、中央側の支持片３４ｃ，３４ｃが、隣接する基部２４ｄ，２４ｄ同士を連結する連結部と兼用とされているため、基部２４ｄの並設方向（図１０の左右方向）のコンパクト化が図られている。
【００６０】
なお、先筒１のコンパクト化を図るべく、四角柱形状の棒状化粧料Ｍ１の外周面の四面を各々支持するようにしているが、第１実施形態の図６のように、左右両側の四角柱形状の棒状化粧料の外側の上下の隅を各支持片でそれぞれ支持し、且つ、左側の四角柱形状の棒状化粧料の右上隅と中央の四角柱形状の棒状化粧料の左上隅とを共通の支持片で支持し、且つ、右側の四角柱形状の棒状化粧料の左上隅と中央の四角柱形状の棒状化粧料の右上隅とを共通の支持片で支持し、且つ、左側の四角柱形状の棒状化粧料の右下隅と中央の四角柱形状の棒状化粧料の左下隅とを共通の支持片で支持し、且つ、右側の四角柱形状の棒状化粧料の左下隅と中央の四角柱形状の棒状化粧料の右下隅とを共通の支持片で支持するように構成することもでき、種々の変形が可能である。
【００６１】
次に、棒状化粧料Ｍを三角柱形状の棒状化粧料Ｍ２とした場合の実施形態を具体的に説明する。図１２は、本発明の第３実施形態に係る棒状化粧料繰出容器の支持部の斜視図、図１３は、支持部の正面図、図１４は、支持部が配される先筒内の進退孔を示す横断面図であり、図２のVII-VII線に沿った位置の図７に対応する横断面図である。
【００６２】
この第３実施形態では、第１実施形態の円柱形状の棒状化粧料Ｍに代えて三角柱形状の棒状化粧料Ｍ２（図１３参照）が用いられている。この三角柱形状の棒状化粧料Ｍ２は軸線方向に沿って長尺を成し、ここでは、二等辺三角形断面形状のものが用いられている。なお、例えば正三角形断面形状の三角柱を用いることも勿論できる。
【００６３】
図１２及び図１３に示すように、支持部４４ａは、その外形が棒状化粧料Ｍ２の外形に略一致する二等辺三角形断面を成して軸線方向に短尺に延び、棒状化粧料Ｍ２の後端面を突き当てるための三角柱形状の基部４４ｄを備える。基部４４ｄは、ここでは、二等辺三角形の頂点が上方を向くように、３個が離間して一列に並設される。
【００６４】
これらの基部４４ｄの外周面であって、三角柱形状の外周面の三面の各々には、棒状化粧料Ｍ２を支持するためのブロック状の支持片４４ｃ，５４ｃ（支持片４４ｃ，５４ｃの区分けは後述）が、軸線方向前方へ延びるように長尺に設けられている。これらの支持片４４ｃ，５４ｃの内方（棒状化粧料Ｍ２側）を向く面は、三角柱形状の棒状化粧料Ｍ２の平坦な外周面の各面を支持する支持片面４４ｊとして機能する。
【００６５】
ここで、３個の基部４４ｄを横方向に並設した図１３に示す状態を基準として説明すると、左右両側の基部４４ｄにあっては、左右外側の傾斜面に、断面が例えば包丁等の片刃形状の先端部の形状を成しその基部側の傾斜面が、基部４４ｄの傾斜面に連結されて前方へ延びる支持片４４ｃがそれぞれ設けられている。また、左右両側の基部４４ｄ及び中央の基部４４ｄにあっては、下面に、四角柱形状を成しその基部側が基部４４ｄの下面に連結されて前方へ延びる支持片４４ｃがそれぞれ設けられている。なお、正方形断面形状の支持片４４ｃを、例えば、長方形断面形状や、円弧が下側に膨らむ半円断面形状等とすることもできる。
【００６６】
一方の片側（例えば左側）の基部４４ｄと中央の基部４４ｄ同士の間にあっては、上面が下面より長い台形断面形状を成しその基部側の台形を形成する左右の傾斜面が、隣接する基部４４ｄ，４４ｄの傾斜面に連結されて前方へ延びる支持片５４ｃが設けられる。この１個の支持片５４ｃの一方（例えば左側）の支持片面４４ｊが一の（左側の）棒状化粧料Ｍ２の外周面の一部（右傾斜面）を支持し、支持片５４ｃの他方（右側）の支持片面５４ｊが他の（中央の）棒状化粧料Ｍ２の外周面の一部（左傾斜面）を支持する。
【００６７】
同様に、他方の片側（例えば右側）の基部４４ｄと中央の基部４４ｄ同士の間にあっても、支持片５４ｃが上記と同様にして設けられる。１個の支持片５４ｃの一方（例えば左側）の支持片面５４ｊが一の（中央の）棒状化粧料Ｍ２の外周面の１部（右傾斜面）を支持し、支持片５４ｃの他方（右側）の支持片面５４ｊが他の（右側の）棒状化粧料Ｍ２の外周面の一部（左傾斜面）を支持する。このように、第３実施形態では、中央側の支持片５４ｃ，５４ｃが、第１実施形態の基部４ｄ，４ｄ同士を連結する連結部４ｅ，４ｅを兼用している。
【００６８】
そして、三角柱形状の棒状化粧料Ｍ２の外周面の各面に対応して設けられた支持片４４ｃ，５４ｃにより、三角柱形状の棒状化粧料Ｍ２の後端部の外周面を、相互間に挟んで支持する。なお、支持片４４ｃ，５４ｃの先端で棒状化粧料Ｍ２側には、第１、第２実施形態と同様な面取りＣが施されている。
【００６９】
因みに、第１、第２実施形態と同様に、先筒１の開口１ｂの棒状化粧料孔１ｃの形状は、三角柱形状の棒状化粧料Ｍ２が進退すべくその外形形状と略相似形状となっている。また、複数の棒状化粧料孔１ｃ同士は、第１、第２実施形態と同様に、隙間を持って繋がる構成となっている（図８参照）。
【００７０】
そして、上記三角柱形状の棒状化粧料Ｍ２及び支持部４４ａの変更に伴い、先筒１には、棒状化粧料孔１ｃの先端近傍から連設され、図１４に示すように、複数の支持片４４ｃが進退する支持片溝４１ｄ及び複数の支持片５４ｃが進退する支持片溝５１ｄが形成され、支持片溝４１ｄ，５１ｄにより、支持部４４ａが進退するための支持部孔４１ｎが形成され、支持部孔４１ｎ及び棒状化粧料孔１ｃにより、棒状化粧料Ｍ２及び支持部４４ａが進退する進退孔４１ｒの形状が形成されている。
【００７１】
このような構成を有する第２実施形態においても、先の第１、第２実施形態と同様な作用・効果を奏するというのはいうまでもなく、特に、三角柱形状の棒状化粧料Ｍ２を用いた場合であっても、第１、第２実施形態と同様に、一の支持片５４ｃは、一の棒状化粧料Ｍ２の外面の一部を支持する一の支持片面５４ｊと、一の棒状化粧料Ｍ２に隣接する他の棒状化粧料Ｍ２の外面の一部を支持する他の支持片面５４ｊと、を備えているため、一の支持片５４ｃは、隣接する複数の棒状化粧料Ｍ２を個別に支持でき、支持部５４ａの構成を簡易にできる。
【００７２】
また、中央側の支持片５４ｃ，５４ｃが、隣接する基部４４ｄ，４４ｄ同士を連結する連結部と兼用とされているため、基部４４ｄの並設方向（図１３の左右方向）のコンパクト化が図られている。
【００７３】
以上、本発明をその実施形態に基づき具体的に説明したが、本発明は上記実施形態に限定されるものではなく、例えば、上記実施形態においては、作用・効果が前述したように特に顕著だとして、アイブロウが好適であるとしているが、棒状化粧料の色をそれぞれ変えることにより、アイライナーやアイシャドウ等として用い、各色をぼかすことでグラデーションとして使うこともできる。また、同色の棒状化粧料を用い例えば毛染め等として使うこともできる。
【００７４】
また、上記実施形態においては、棒状化粧料を、円柱形状、四角柱形状、三角柱形状としているが、例えば、楕円断面形状、雫断面形状、猫目断面形状等を始めとした非円形断面形状の棒状化粧料に対しても適用できる。
【００７５】
また、上記実施形態においては、特に好ましいとして、３本の棒状化粧料に対する適用を述べているが、２本以上であれば適用できる。また、支持片の個数も上記実施形態に限定されるものではない。
【００７６】
また、棒状化粧料の並設位置も、列状に限定されるものではなく、例えば、千鳥状、三角状、四角状、丸状を成すように並設しても良く、要は、複数の棒状化粧料は、互いの軸心が平行となるように並べられていれば良い。また、棒状化粧料の太さは、ばらばらであっても良い。
【００７７】
また、上記実施形態において雄螺子、雌螺子は、間欠的に配される突起群又は螺旋状且つ間欠的に配される突起群のように螺子山と同様な働きをするものであれば良く、また、螺合突起は、連続する螺子山であっても良い。
【００７８】
なお、上記実施形態の棒状化粧料繰出容器１００を棒状化粧料カートリッジとして使用することも可能である。この場合、上記棒状化粧料カートリッジ１００を、有底円筒状で長尺なカートリッジ収容容器に対して、その後半部を内挿し使用することになる。具体的には、回転方向に係合可能な係合部として、例えば、カートリッジ収容容器の内周面に、軸線方向へ延びる突条を周方向に沿って複数配設すると共に、前後方向へ延びカートリッジ収容容器の突条同士の間に進入して回転方向に係合する突条を、棒状化粧料カートリッジ１００を構成するホルダ筒２の外周面に周方向に沿って複数配設する。また、例えば、軸線方向に係合可能な係合部として、例えば、カートリッジ収容容器の内周面に、円環状の凹部又は凸部を配設すると共に、ホルダ筒２の外周面に、カートリッジ収容容器の凹部又は凸部が進入する凸部又は凹部を形成する。そして、棒状化粧料カートリッジ１００を、その後端部から、カートリッジ収容容器へ内挿し、回転方向に係合する上記係合部同士により、ホルダ筒２をカートリッジ収容容器に対して同期回転可能とすると共に、軸線方向に係合する上記係合部同士により、ホルダ筒２をカートリッジ収容容器に対して着脱可能（若しくは着脱不能）に連結した棒状化粧料繰出容器とすることもできる。この場合、ホルダ筒２及びカートリッジ収容容器が、容器後部を構成することになる。また、係合部の構成は、上記突条や、凹凸部に限定されるものではない。
【符号の説明】
【００７９】
１…先筒（容器前部）、１ｂ…開口、１ｃ…棒状化粧料孔、１ｄ，１１ｄ，２１ｄ，３１ｄ，４１ｄ，５１ｄ…支持片溝、１ｍ…連結部孔、１ｎ，２１ｎ，４１ｎ…支持部孔、１ｒ，２１ｒ，４１ｒ…進退孔、２…ホルダ筒（容器後部）、３…継ぎ具（容器前部）、４…棒状化粧料支持体（移動体）、４ａ，２４ａ，４４ａ…支持部、４ｃ，１４ｃ，２４ｃ，３４ｃ，４４ｃ，５４ｃ…支持片、４ｄ，２４ｄ，４４ｄ…基部、４ｅ…連結部、４ｉ…雄螺子、４ｊ，２４ｊ，４４ｊ…支持片面、５…雌螺子部材、５ｉ…雌螺子、１００…棒状化粧料繰出容器、Ｍ，Ｍ１，Ｍ２…棒状化粧料（アイブロウ）。
【図１】
2019048049.tif 000003
【図２】
2019048049.tif 000004
【図３】
2019048049.tif 000005
【図４】
2019048049.tif 000006
【図５】
2019048049.tif 000007
【図６】
2019048049.tif 000008
【図７】
2019048049.tif 000009
【図８】
2019048049.tif 000010
【図９】
2019048049.tif 000011
【図１０】
2019048049.tif 000012
【図１１】
2019048049.tif 000013
【図１２】
2019048049.tif 000014
【図１３】
2019048049.tif 000015
【図１４】
2019048049.tif 000016